(57)【要約】【課題】切刃の占有面積を抑えつつ内容物を外部へ取り出すための開口を大きく形成することができる蓋付カップ容器を提供すること。【解決手段】蓋体１２が、溝部４１及び折曲可能な第１ヒンジ部４２が形成された天面部３２と、天面部３２に形成されてシール部材５０を破断可能な切刃部材３３と、を備え、天面部３２の平面視において、溝部４１は、カップ本体の径方向に沿う一方側が閉塞、他方側が開口するように形成され、第１ヒンジ部４２が、天面部３２において溝部４１で囲まれた領域に配置されて前記領域を径方向に沿う一方側及び他方側に区画し、切刃部材３３が、前記領域において第１ヒンジ部４２よりも一方側に位置する切刃部４５と、切刃部４５に突設された操作片４６と、前記領域において第１ヒンジ部４２よりも他方側に位置する捲上片４７と、を備え、シール部材５０が、少なくとも捲上片４７の裏面に固着されている。【選択図】図２
2010052805.tif 000002
【特許請求の範囲】
【請求項１】
開放端がシール部材によって封止されるカップ本体と、前記カップ本体に被着される蓋体と、を備える蓋付カップ容器であって、
前記蓋体が、溝部及び折曲可能なヒンジ部が形成された天面部と、該天面部に形成されて前記シール部材を破断可能な切刃部材と、を備え、
前記天面部の平面視において、前記溝部は、前記カップ本体の径方向に沿う一方側が閉塞し、他方側が開口するように形成され、
前記ヒンジ部が、前記天面部において前記溝部で囲まれた領域に配置されて該領域を径方向に沿う前記一方側及び前記他方側に区画し、
前記切刃部材が、前記領域において前記ヒンジ部よりも前記一方側に位置する切刃部と、該切刃部に突設された操作片と、前記領域において前記ヒンジ部よりも前記他方側に位置する捲上片と、を備え、
前記シール部材が、少なくとも前記捲上片の表裏面のうち前記カップ本体側を向く面に固着されていることを特徴とする蓋付カップ容器。
【請求項２】
前記蓋体が、前記捲上片の捲上状態を保持する保持部を有することを特徴とする請求項１に記載の蓋付カップ容器。
【発明の詳細な説明】
【技術分野】
【０００１】
本発明は、例えば飲料などが充填される蓋付カップ容器に関するものである。
【背景技術】
【０００２】
この種の蓋付カップ容器としては、例えば下記特許文献１に示すように、上方に向けて開口する開放端が形成されてこの開放端をシール部材で封止したカップ本体と、カップ本体の上部にシール部材を破断する切刃部材が設けられてカップ本体に被着される蓋体とを備えるものが提供されている。ここで、切刃部材は、蓋体の天面部に設けられており、その下面側（シール部材を向く側）に下側に向けて突出する切刃が形成されると共に、この切刃は、天面部に連結ヒンジ部を介して連結されていて、この連結ヒンジ部を中心として下側に向けて回動可能に構成されている。
【０００３】
このような構成の蓋付カップ容器は、切刃部材を上方から指などで押下して連結ヒンジ部を中心にして下側（シール部材側）へと回動させ、蓋体の下側に向けて突出された切刃によってシール部材を破断して開口し、カップ本体内に充填されている飲料などの内容物を外部へと取り出すことができるものである。
【特許文献１】特開２００５−２２７５７号公報
【発明の開示】
【発明が解決しようとする課題】
【０００４】
しかしながら、上記従来の蓋付カップ容器においても、以下の課題が残されている。すなわち、内容物を外部へ取り出すための開口の大きさは、切刃の大きさに依存しているため、より大きな開口を形成するためには切刃を大きくする必要があり、切刃の占有面積が大きくなってしまうという問題がある。
【０００５】
本発明は、前述の課題に鑑みてなされたもので、切刃の占有面積を抑えつつ内容物を外部へ取り出すための開口を大きく形成することができる蓋付カップ容器を提供することを目的とする。
【課題を解決するための手段】
【０００６】
本発明は、上記のような課題を解決するために以下のような手段を採用した。すなわち、本発明の蓋付カップ容器は、開放端がシール部材によって封止されるカップ本体と、前記カップ本体に被着される蓋体と、を備える蓋付カップ容器であって、前記蓋体が、溝部及び折曲可能なヒンジ部が形成された天面部と、該天面部に形成されて前記シール部材を破断可能な切刃部材と、を備え、前記天面部の平面視において、前記溝部は、前記カップ本体の径方向に沿う一方側が閉塞し、他方側が開口するように形成され、前記ヒンジ部が、前記天面部において前記溝部で囲まれた領域に配置されて該領域を径方向に沿う前記一方側及び前記他方側に区画し、前記切刃部材が、前記領域において前記ヒンジ部よりも前記一方側に位置する切刃部と、該切刃部に突設された操作片と、前記領域において前記ヒンジ部よりも前記他方側に位置する捲上片と、を備え、前記シール部材が、少なくとも前記捲上片の表裏面のうち前記カップ本体側を向く面に固着されている。
【０００７】
この発明では、操作片をカップ本体から離間する側に引き上げ、切刃部をヒンジ部回りにカップ本体側に向けて回動させることで、シール部材がこの切刃部により破断される。そしてさらに操作片を操作して捲上片をカップ本体から離間する側に捲り上げ、シール部材において捲上片のカップ本体側を向く面（裏面）あるいは切刃部及び捲上片のカップ本体側を向く面（裏面）に固着されている部分を捲上片と共にカップ本体から離間する側に捲り上げる。これにより、シール部材が天面部の溝部の縁部に沿って破断される。以上により、切刃部により形成された開口が捲上片の捲上動作に伴って拡大されることとなり、切刃部の占有面積を大きくしなくてもシール部材に大きな開口を形成することができる。
また、この発明では、切刃部の占有面積の増大を抑制できるので、切刃部がヒンジ部回りにカップ本体側に向けて回動してシール部材を破断したときに、切刃部がカップ本体内の内容物に触れやすくなることを防止できる。これにより、内容物の衛生性を保つことができる。
【０００８】
また、本発明の蓋付カップ容器は、前記蓋体が、前記捲上片の捲上状態を保持する保持部を有することが好ましい。
この発明では、上述した開封動作により捲り上げられた捲上片がシール部材に形成された開口を再び塞ぐことを防止できる。
【発明の効果】
【０００９】
この発明にかかる蓋付カップ容器によれば、捲上片を上方に捲り上げることで切刃部によりシール部材に形成された開口を拡大するため、切刃部の占有面積の増大を抑制しつつ内容物を外部に取り出すための開口を大きく形成できる。また、切刃部がシール部材を破断した際にカップ本体内の内容物に触れにくくするので、内容物の衛生性を保つことができる。
【発明を実施するための最良の形態】
【００１０】
以下、本発明による蓋付カップ容器の一実施形態を、図面に基づいて説明する。なお、以下の説明に用いる各図面では、各部材を認識可能な大きさとするために縮尺を適宜変更している。
【００１１】
本発明における蓋付カップ容器１は、図１及び図２に示すように、例えば飲料などの液体や、錠剤および菓子類などの固形物などが充填されて流通するものであって、ユーザ（消費者）が購入して当該カップ容器から他の容器に飲料を移して飲んだり直接飲料などを飲んだりすることができるものである。
蓋付カップ容器１は、図１に示すように、カップ本体１１と、蓋体１２とを備えている。
なお、カップ本体１１及び蓋体１２は、それぞれ円筒状に形成されており、それぞれの中心軸が共通軸上に位置している。以下、この共通軸を中心軸線Ｏと称する。また、本実施形態では、中心軸線Ｏに沿って蓋体１２側を「上側」とし、その反対側を「下側」とする。さらに、本実施形態では、中心軸線Ｏと直交する方向を「径方向」とする。
【００１２】
カップ本体１１は、中心軸線Ｏに沿って延びるほぼ有底円筒状をなし、開放端１１Ａにより上方に向けて開口する。また、カップ本体１１は、図１に示すように、下方に向かうにしたがって縮径するテーパ胴部２１と、テーパ胴部２１の下端に接続される底部２２とを備えている。
テーパ胴部２１の上端部には、カップ本体１１の径方向外方に向けて突出するフランジ部２３が形成されている。
【００１３】
蓋体１２は、カップ本体１１の上部に被着されている。蓋体１２は、中心軸線Ｏを中心とした円筒状をなす側壁部３１と、円板状をなして側壁部３１の内周縁に連設された天面部３２と、切刃部材３３とを備えている。
【００１４】
側壁部３１は、ほぼ円筒状をなす筒壁部３５と、円環状平面部３６とを備えている。
筒壁部３５は、ほぼ円筒状をなし、下端縁が天面部３２の外周縁に連設されている。また、筒壁部３５において天面部３２に形成された後述する溝部４１の閉塞端縁の中心軸線Ｏを径方向で挟む反対側には、図１及び図２に示すように、後述する操作片４６における切刃部４５に接続される部分を収容可能な切欠部３５Ａが形成されている。
円環状平面部３６は、平面視でほぼ円環状をなし、その内周縁が筒壁部３５の下端縁に連設されている。
【００１５】
天面部３２には、図２に示すように、溝部４１と、折曲可能な一対の第１ヒンジ部（ヒンジ部）４２と、一対の第２ヒンジ部４３とが形成されている。また、天面部３２の上面には、図１及び図２に示すように、切刃部材３３を保持する一対の保持部４４が設けられている。
溝部４１は、平面視でほぼＵ字状をなすスリットであり、径方向に沿う一方側が閉塞しかつ他方側が開口するように延在している。本実施形態では、溝部４１は、閉塞した一方側が天面部３２の外周縁部に位置し、開口した他方側が天面部３２の径方向中央部に位置するように配置されている。また、溝部４１には、切刃部材３３の外周部と天面部３２のうち溝部４１側の縁部とを部分的に接続するブリッジ（図示略）が設けられている。
【００１６】
一対の第１ヒンジ部４２は、天面部３２において溝部４１で囲まれた領域に配置され、この領域を第１ヒンジ部４２よりも溝部４１の閉塞端縁４１Ａ側に位置する切刃部４５と、溝部４１の開口端縁４１Ｂ側に位置する捲上片４７とに区画している。そして、一対の第１ヒンジ部４２は、それぞれ溝部４１から上記領域を横断する方向に沿ってこの領域内に向けて延びており、この横断する方向に延びる同一直線上に配置されている。また、第１ヒンジ部４２は、天面部３２を薄肉とすることにより形成されている。
【００１７】
一対の第２ヒンジ部４３は、溝部４１の開口端縁４１Ｂに配置されている。そして、一対の第２ヒンジ部４３は、それぞれ上記横断する方向に沿って上記領域内に向けて延びており、第１ヒンジ部４２と平行になるようにこの横断する方向に延びる同一直線上に配置されている。また、第２ヒンジ部４３は、天面部３２を薄肉とすることにより形成されている。
【００１８】
切刃部材３３は、図１及び図２に示すように、切刃部４５と、操作片４６と、捲上片４７とを有している。
切刃部４５は、平面視で天面部３２の外周縁に角部を有するほぼ三角形状をなしている。
操作片４６は、中央部分に平面視でほぼ円形の開口部４６Ａが形成されたほぼ円環状をなしており、外縁の一部が径方向外方に延出している、そして、この操作片４６の外縁の一部が、切刃部４５における第１ヒンジ部４２側の部分であって上記横断する方向の中央部分に接続されている。また、操作片４６は、切刃部４５に接続される部分が上方に向かうにしたがって径方向内方に向けて延在しており、切刃部４５に接続される部分を除いて天面部３２とほぼ平行となるように配置されている。操作片４６の開口部４６Ａにユーザの指などを入れることにより、ユーザの指などを操作片４６に引っ掛けることができる。
【００１９】
捲上片４７は、平面視で径方向に沿う帯状をなしている。ここで、本実施形態では、天面部３２において操作片４６の直下に位置する部分には、この操作片４６の外縁形状に沿った内縁形状を有する孔部が形成されている。捲上片４７は、この孔部により上記横断する方向に沿って２つに分断されている。
【００２０】
一対の保持部４４は、天面部３２において中心軸線Ｏを径方向で挟む溝部４１の閉塞端縁４１Ａの反対側に設けられている。そして、一対の保持部４４の間隔は、上記横断する方向における捲上片４７の第１ヒンジ部４２近傍における幅と同等となっており、捲上片４７を係止可能に形成されている。また、一対の保持部４４それぞれは、天面部３２の上面から上方に向けて突出しており、対向する面に突出して形成された保持凸部４４Ａを有する。
【００２１】
シール部材５０は、例えばアルミ蒸着シートなどのバリア性シート材で構成されており、下面に熱溶着層が形成されている。そして、シール部材５０は、天面部３２、切刃部４５、捲上片４７及び円環状平面部３６それぞれの下面とフランジ部２３の上面とに高周波接着されており、カップ本体１１内の内容物（飲料）が外部に漏出しないように封止している。なお、シール部材５０としてバリア性シート材を使用した場合には、空気などがカップ本体１１内に侵入することを防止して内容物（飲料）の変質を防ぐこともできる。
なお、本実施形態における蓋付カップ容器１には、蓋体１２を覆うように被着された外蓋（図示略）が設けられている。
【００２２】
次に、以上のような構成の蓋付カップ容器１の開封方法について説明する。
まず、上記外蓋を取り外す。そして、操作片４６の開口部４６Ａに指などを引っ掛けた状態で操作片４６を第１ヒンジ部４２回りで回動させて上方に引き起こす。これにより、操作片４６に接続された切刃部４５の径方向の外方端に下方に向かう力が付与される。そして、上記下方に向かう力が溝部４１のうち切刃部４５を区画する部分（切刃部区画部分）に伝わることで、切刃部４５が下方に向けて移動する。
切刃部４５が下方に向けて移動すると、切刃部４５の縁部がシール部材５０と当接しているので、切刃部４５がシール部材５０を破断する。このように、操作片４６を引き起こすことで、シール部材５０に開口が形成される（図３及び図４参照）。
【００２３】
操作片４６を引き起こした後、操作片４６を天面部３２の径方向内側に向けて引き上げると、溝部４１のうち捲上片４７を区画する部分（捲上片区画部分）における上記ブリッジが切刃部区画部分との接続部分から順に破断される。これにより、一対の捲上片４７それぞれが蓋体１２に対して上方に捲り上げられる。ここで、切刃部４５及び一対の捲上片４７それぞれの裏面にシール部材５０が接着されているため、シール部材５０は、捲上片４７の捲り上げに伴って捲上片区画部分における上記ブリッジが破断されることにより形成された溝部４１の縁部と当接して破断される。
これにより、切刃部４５により形成された開口が捲上片４７の捲上動作に伴って拡大されることとなり、切刃部４５の占有面積を大きくしなくてもシール部材５０に大きな開口が形成される。なお、一対の捲上片４７間におけるシール部材５０も、捲上片４７と共に上方に捲り上げられる。
このようにして、捲上片区画部分における上記ブリッジがすべて破断されると、捲上片４７は、第２ヒンジ部４３回りに引き起こされる（図５及び図６参照）。
【００２４】
捲上片４７を引き起こした後、捲上片４７を捲り上げ方向に沿って引き倒し、一対の捲上片４７それぞれの側縁を一対の保持部４４に掛止する。これにより、捲上片４７の捲上状態が保持され、捲上片４７が弾性復帰してシール部材５０に形成された開口を塞ぐことが回避される。
また、操作片４６において切刃部４５に接続される部分は、筒壁部３５の切欠部３５Ａに収容される（図７及び図８参照）。このとき、上記接続される部分が切欠部３５Ａに係合されるように構成してもよい。以上のようにして、蓋付カップ容器１が開封される。
【００２５】
本実施形態における蓋付カップ容器１によれば、シール部材５０に開口を形成した後に捲上片４７を上方に捲り上げるので、切刃部４５の占有面積を増大させることなく内容物を外部に取り出すための開口をシール部材５０に大きく形成することができる。また、蓋付カップ容器１では、第１ヒンジ部４２回りで切刃部４５を下方に回動させたときに切刃部４５がカップ本体１１内の内容物に接触しにくくなるので、内容物の衛生性を保つことができる。
そして、蓋付カップ容器１では、一対の保持部４４が設けられていることで、開封動作により捲り上げられた捲上片４７がシール部材５０に形成された開口を再び塞ぐことを防止できる。
【００２６】
なお、本発明は上記実施形態に限定されるものではなく、本発明の趣旨を逸脱しない範囲において種々の変更を加えることができる。
例えば、シール部材は、天面部、切刃部及び捲上片それぞれの下面に高周波接着されているが、高周波接着に限らず、接着剤を用いた接着や溶着など、他の固着方法を用いて固着されてもよい。
また、シール部材は、少なくとも捲上片の裏面に固着されていればよい。
そして、溝部は、複数のブリッジで接続されるスリットにより形成されているが、溝部を第１及び第２ヒンジ部よりも薄肉の破断可能な弱化ラインによって形成する構成など、他の構成であってもよい。また、溝部をブリッジで接続しているが、ブリッジを設けなくてもよい。
さらに、保持部は、捲上片の捲上状態を保持できれば、他の構造であってもよい。ここで、保持部は天面部に設けられているが、カップ本体に設けてもよく、捲り上げられた捲上片がシール部材の開口を再び塞がなければ、保持部を設けなくてもよい。
また、シール部材は、アルミ蒸着シートなどのバリア性シート材で構成されたものに限らず、カップ本体内の内容物に応じて適宜変更してもよい。
そして、第１及び第２ヒンジ部は、天面部を部分的に薄肉とすることにより形成されているが、他の構成であってもよい。ここで、溝部の開口端縁を起点として捲上片を上方に捲り上げることができれば、第２ヒンジ部を設けなくてもよい。
【産業上の利用可能性】
【００２７】
この発明によれば、切刃の占有面積を抑えつつ内容物を外部へ取り出すための開口を大きく形成することができる蓋付カップ容器に関して、産業上の利用可能性が認められる。
【図面の簡単な説明】
【００２８】
【図１】本発明の一実施形態における蓋付カップ容器を示す軸方向断面図である。
【図２】図１の平面図である。
【図３】開封動作を説明する軸方向断面図である。
【図４】図３の平面図である。
【図５】同じく、開封動作を説明する軸方向断面図である。
【図６】図５の平面図である。
【図７】同じく、開封動作を説明する軸方向断面図である。
【図８】図７の平面図である。
【符号の説明】
【００２９】
１  蓋付カップ容器、１１  カップ本体、１１Ａ  開放端、１２  蓋体、３２  天面部、３３  切刃部材、４１  溝部、４２  第１ヒンジ部（ヒンジ部）、４４  保持部、４５  切刃部、４６  操作片、４７  捲上片、５０  シール部材
【図１】
2010052805.tif 000003
【図２】
2010052805.tif 000004
【図３】
2010052805.tif 000005
【図４】
2010052805.tif 000006
【図５】
2010052805.tif 000007
【図６】
2010052805.tif 000008
【図７】
2010052805.tif 000009
【図８】
2010052805.tif 000010